(57)【要約】      （修正有）【課題】操作子の回転方向に応じて異なる動作を継続的に行わせることができる玩具用スイッチ装置と、該スイッチ装置を搭載した玩具とを提供する。【解決手段】回転体の回転に連動して操作子を回転させ、操作子の回転方向に応じてスイッチＳＷ１，ＳＷ２を選択的にＯＮさせることによって、第１の回路Ｓ１，第２の回路Ｓ２を選択的に作動させるとともに、作動後には、回転体の回転中その作動状態を維持させる。これによって、操作子の回転方向に応じた異なる動作をさせることができる。【選択図】図３
0003168130.tif 000002
【実用新案登録請求の範囲】
【請求項１】
第１のスイッチがＯＮすることによって作動する第１の回路と、
前記第１のスイッチから離れた位置にある第２のスイッチがＯＮすることによって作動する第２の回路と、
正逆回転可能な回転体と、
前記回転体と同軸に設けられ、前記回転体に対して独立して正逆回転可能で、互いに異なる回転位置で前記第１のスイッチ及び前記第２のスイッチをＯＮさせる操作子と、
前記回転体及び前記操作子を互いに圧接させ当該回転体に対して当該操作子を連動可能な状態とさせる圧接手段と、
前記回転体が一方向に回転した際に、前記圧接手段による圧接力に抗して、前記第１のスイッチがＯＮとなる位置で前記操作子の回転を停止させるストッパと、
前記回転体が他方向に回転した際に、前記圧接手段による圧接力に抗して、前記第２のスイッチがＯＮとなる位置で前記操作子の回転を停止させるストッパと、
を備えることを特徴とする玩具用スイッチ装置。
【請求項２】
前記第１のスイッチ及び前記第２のスイッチはスイッチであり、前記操作子の当接によってＯＮするように構成されていることを特徴とする請求項１に記載の玩具用スイッチ装置。
【請求項３】
前記圧接手段は、コイルスプリングを前記回転体の軸に外嵌させ、前記コイルスプリングの一端を前記軸に固定されたスプリング受けで受け止めるとともに、前記コイルスプリングの他端で前記操作子を前記回転体に圧接させることを特徴とする請求項１又は２に記載の玩具用スイッチ装置。
【請求項４】
請求項１〜３いずれか一項に記載の玩具用スイッチ装置と、正逆回転可能な車輪と、前記車輪を正逆回転させる正逆運転可能なモータと、前記モータと前記第１の回路及び前記第２の回路とを作動させるための電源とを備え、前記回転体は前記モータの動力によって回転することを特徴とする玩具。
【請求項５】
請求項１〜３いずれか一項に記載の玩具用スイッチ装置と、前記第１の回路及び前記第２の回路を作動させるための電源と、人為によって正逆回転可能な車輪とを備え、前記回転体は前記車輪の回転方向に応じて正逆回転することを特徴とする玩具。
【請求項６】
前記電源は、前記車輪が回転した際に起電力を生じる発電機であることを特徴とする請求項５に記載の玩具。
【請求項７】
前記第１の回路の作動によって特定色の発光を行う発光体と、前記第２の回路の作動によって他の特定色の発光を行う発光体とを備えることを特徴とする請求項４〜６いずれか一項に記載の玩具。
【考案の詳細な説明】
【技術分野】
【０００１】
本考案は玩具用スイッチ装置および玩具に関するものである。
【背景技術】
【０００２】
スイッチ装置を搭載した玩具として、例えば、走行玩具の車軸の車軸方向にスイッチを備えた走行玩具が知られている（例えば、特許文献１参照）。この走行玩具は、車軸の回転に合わせて操作子が回転し、操作子の当接によってスイッチの一方の接点を他方の接点に接触させ、電池からライトに電流を通電してライトを点灯させるように構成されている。
【先行技術文献】
【特許文献】
【０００３】
【特許文献１】実用新案登録第３１０６５１２号公報
【考案の概要】
【考案が解決しようとする課題】
【０００４】
しかしながら、上記特許文献１の走行玩具のスイッチ装置によれば、車軸が回転している間、操作子も当該車軸に連動して回転し続けるため、１回転毎に間欠的にライトが点滅するだけであり、継続的にライトに点灯動作をさせることができない。
また、上記特許文献１の走行玩具のスイッチ装置によれば、操作子によってスイッチの一方の接点を跳ねさせて、一方の接点を他方の接点に接触させるだけなので、例えば、車軸の回転方向に応じて、異なる態様の点灯動作をさせることができない。
【０００５】
本考案は、操作子の回転方向に応じて異なる動作を継続的に行わせることができる玩具用スイッチ装置と、該スイッチ装置を搭載した玩具とを提供することを目的とする。
【課題を解決するための手段】
【０００６】
請求項１の考案は、
第１のスイッチがＯＮすることによって作動する第１の回路と、
前記第１のスイッチから離れた位置にある第２のスイッチがＯＮすることによって作動する第２の回路と、
正逆回転可能な回転体と、
前記回転体と同軸に設けられ、前記回転体に対して独立して正逆回転可能で、互いに異なる回転位置で前記第１のスイッチ及び前記第２のスイッチをＯＮさせる操作子と、
前記回転体及び前記操作子を互いに圧接させ当該回転体に対して当該操作子を連動可能な状態とさせる圧接手段と、
前記回転体が一方向に回転した際に、前記圧接手段による圧接力に抗して、前記第１のスイッチがＯＮとなる位置で前記操作子の回転を停止させるストッパと、
前記回転体が他方向に回転した際に、前記圧接手段による圧接力に抗して、前記第２のスイッチがＯＮとなる位置で前記操作子の回転を停止させるストッパと、
を備えることを特徴とする玩具用スイッチ装置である。
ここに「圧接手段」としては、例えば、スプリング、ゴムその他の弾性体でも同様の効果を使用することができる。また、磁力や重力を圧接手段として用いることもできる。
【０００７】
請求項２の考案は、請求項１に記載の玩具用スイッチ装置において、
前記第１のスイッチ及び前記第２のスイッチはスイッチであり、前記操作子の当接によってＯＮするように構成されていることを特徴とする。
【０００８】
請求項３の考案は、請求項１又は２に記載の玩具用スイッチ装置において、前記圧接手段は、コイルスプリングを前記回転体の軸に外嵌させ、前記コイルスプリングの一端を前記軸に固定されたスプリング受けで受け止めるとともに、前記コイルスプリングの他端で前記操作子を前記回転体に圧接させることを特徴とする。
【０００９】
請求項４の考案は、請求項１〜３いずれか一項に記載の玩具用スイッチ装置と、正逆回転可能な車輪と、前記車輪を正逆回転させる正逆運転可能なモータと、前記モータと前記第１の回路及び前記第２の回路とを作動させるための電源とを備え、前記回転体は前記モータの動力によって回転することを特徴とする玩具である。
【００１０】
請求項５の考案は、請求項１〜３いずれか一項に記載の玩具用スイッチ装置と、前記第１の回路及び前記第２の回路を作動させるための電源と、人為によって正逆回転可能な車輪とを備え、前記回転体は前記車輪の回転方向に応じて正逆回転することを特徴とする玩具である。
【００１１】
請求項６の考案は、請求項５に記載の玩具において、前記電源は、前記車輪が回転した際に起電力を生じる発電機であることを特徴とする。
【００１２】
請求項７の考案は、請求項４〜６いずれか一項に記載の玩具において、前記第１の回路の作動によって特定色の発光を行う発光体と、前記第２の回路の作動によって他の特定色の発光を行う発光体とを備えることを特徴とする。
【考案の効果】
【００１３】
請求項１及び２の考案によれば、回転体が一方向に回転すると操作子が連動して回転し、第１のスイッチがＯＮとなる位置で操作子が停止する。したがって、第１のスイッチがＯＮの状態は、回転体が一方向に回転し続けていても、維持されることになる。一方、回転体が他方向に回転すると操作子が連動して回転し、第２のスイッチがＯＮとなる位置で操作子が停止する。したがって、第２のスイッチがＯＮの状態は、回転体が一方向に回転し続けていても、維持されることになる。
また、第１の回路の作動と第２の回路の作動とは選択的に行われるので、このスイッチ装置を適用した玩具又は装置等に、操作子の回転方向に応じた異なる動作をさせることができる。
【００１４】
また、請求項３〜７の考案によれば、回転体の回転方向に応じて、玩具に異なる動作をさせることができる。例えば、回転体の回転方向に応じて、ライトの発光色を変えたり、発音態様を変化させたりすることができる。
【図面の簡単な説明】
【００１５】
【図１】実施形態に係る玩具の斜視図である。
【図２】図１の玩具の分解斜視図である。
【図３】図１の玩具の模式的な回路図である。
【図４】図２の玩具におけるスイッチ装置の圧接手段を示した斜視図である。
【図５】図４の圧接手段の断面図である。
【図６】（Ａ）〜（Ｃ）は図４に示したスイッチ装置の動作を説明するための図である。
【考案を実施するための形態】
【００１６】
以下、実施形態に係る玩具を図面に基づいて説明する。
【００１７】
この玩具は走行玩具１として構成されている。この走行玩具１は、鉄道車両玩具で手押し式のものとなっている。この走行玩具１の前端部左右には灯火用窓２が設けられている。そして、この走行玩具１は、前進させると灯火用窓２が黄色に点灯し、後進させると灯火用窓２が赤色に点灯するように構成されている。
以下、この走行玩具１の細部を説明する。
【００１８】
この走行玩具１は、図２に示すように、上部車体３及び下部車体４を備えている。
【００１９】
このうち上部車体３には、上述のように、前端部左右に灯火用窓２が形成されている。また、この上部車体３の内部には、左右の灯火用窓２の裏側位置に、ライトホルダ５が設置されている。このライトホルダ５には、黄色発光ダイオード６ａ及び赤色発光ダイオード６ｂからなる組６が左右の灯火用窓２に対応してそれぞれ設けられている（図３参照）。
【００２０】
左右の黄色発光ダイオード６ａは、図３に示すように、互いに直列接続された状態で、発電機７を電源とする第１の回路Ｓ１に組み込まれている。この第１の回路Ｓ１には第１のスイッチＳＷ１が設けられており、この第１の回路Ｓ１は、第１のスイッチＳＷ１がＯＮとなることによって作動する。
また、左右の赤色発光ダイオード６ｂは、図３に示すように、互いに直列接続された状態で発電機７を電源とする第２の回路Ｓ２に組み込まれている。この第２の回路Ｓ２には第２のスイッチＳＷ２が設けられており、この第２の回路Ｓ２は、第２のスイッチＳＷ２がＯＮとなることによって作動する。
【００２１】
下部車体４は、図２に示すように、上部フレーム４ａ及び下部フレーム４ｂによって構成されている。
【００２２】
上部フレーム４ａについて説明すれば、この上部フレーム４ａにはブラケット２１が設置されている。このブラケット２１には、第１のスイッチＳＷ１と第２のスイッチＳＷ２とが所定の間隔で配置されている。この第１のスイッチＳＷ１と第２のスイッチＳＷ２とは、共に、リーフスイッチで構成されている。そして、この第１のスイッチＳＷ１と第２のスイッチＳＷ２とは、ブラケット２１の孔２１ａと上部フレーム４ａの孔４ｃとを介して、上部フレーム４ａの下方まで延設されている。
【００２３】
一方、下部フレーム４ｂには発電機７が設置されている。この発電機７は、黄色発光ダイオード６ａ及び赤色発光ダイオード６ｂの電源となるものである。この発電機７は、走行玩具１を走行させた際に発電を行う。この発電機７の入力軸には歯車７ａが固定されている。
【００２４】
また、下部フレーム４ｂには軸受８ａ，８ｂ，８ｃ，８ｄ，８ｅが形成されている。この軸受８ａ，８ｂ，８ｃ，８ｄ，８ｅにはそれぞれ軸９ａ，９ｂ，９ｃ，９ｄ，９ｅが支持されている。
軸９ａには、一体化された大径歯車１０ａ及び小径歯車１０ｂが付設されている。このうち大径歯車１０ａは上記歯車７ａに噛合している。
軸９ｂには、一体化された大径歯車１１及び小径歯車（図示せず）が付設されている。このうち大径歯車１１は上記小径歯車１０ｂに噛合している。
軸９ｃには大径歯車（回転体）１２が固定されている。この大径歯車１２は、軸９ｂに付設された上記小径歯車（図示せず）に噛合している。
軸９ｄには後輪１３及び小径歯車１４が固定されている。そして、小径歯車１４は上記大径歯車１２に噛合している。
軸９ｅには前輪１５が付設されている。
【００２５】
また、上記軸９ｃには、第１のスイッチＳＷ１及び第２のスイッチＳＷ２をＯＮさせるための操作子２０と、操作子２０を上記大径歯車１２に圧接させるための圧接手段２１とが付設されている。
操作子２０は、図４及び図５に示すように、軸９ｃに緩く外嵌された筒状部２０ａと、筒状部２０ａに固定された馬蹄形の当接部２０ｂとによって構成されている。馬蹄形の当接部２０ｂは互いに対向する直線状の第１の当接部２０ｂ−１，２０ｂ−１と、その直線部の間に位置する弧状の第２の当接部２０ｂ−２とを備えている。第１の当接部２０ｂ−１，２０ｂ−１は、操作子２０が回転した際に、後述のストッパ２５ａ，２５ｂに当接する部分である。また、第２の当接部２０ｂ−２は、操作子２０が回転した際に、スイッチＳＷ１，ＳＷ２に当接する部分である。
圧接手段２１は、図４及び図５に示すように、軸９ｃに外嵌状態で固定されたスプリング受け２１ａと、軸９ｃに外嵌されたコイルスプリング２１ｂと、軸９ｃに外嵌されたワッシャ２１ｃとから構成されている。この圧接手段２１は摩擦クラッチを構成し、大径歯車１２が回転すると、その動力が操作子２０に伝達され、操作子２０が連動して回転する。なお、圧接手段２１は、コイルスプリング２１ｂで操作子２０を上記大径歯車１２に直接圧接可能であれば、ワッシャ２１ｃを備えなくてもよい。
【００２６】
また、下部フレーム４ｂには、図６に示すように、ストッパ２５ａ，２５ｂが立設されている。
このうちストッパ２５ａは、大径歯車１２が一方向に回転した際に、連動する操作子２０の回転を第１のスイッチＳＷ１に当接する位置で停止させるためのものである。具体的には、このストッパ２５ａは、大径歯車１２が一方向に回転した際に、第１の当接部２０ｂ−１に当接し、第２の当接部２０ｂ−２が第１のスイッチＳＷ１に当接する位置で操作子２０の回転を停止させる。
一方、ストッパ２５ｂは、大径歯車１２が他方向に回転した際に、連動する操作子２０の回転を第２のスイッチＳＷ１に当接する位置で停止させるためのものである。具体的には、このストッパ２５ｂは、大径歯車１２が他方向に回転した際に、第１の当接部２０ｂ−１に当接し、第２の当接部２０ｂ−２が第２のスイッチＳＷ２に当接する位置で操作子２０の回転を停止させる。
【００２７】
また、下部フレーム４ｂは支持板２７を備えている。この支持板２７は下部フレーム４ｂに取り付けられ、後輪１３と連結器２８とを保持する働きをする。
【００２８】
このように構成された走行玩具１の動作を説明する。
走行玩具１を前進させると、後輪１３の回転動力は、小径歯車１４，大径歯車１２、軸９ｂの上記小径歯車（図示せず）、大径歯車１１、小径歯車１０ｂ及び大径歯車１０ａを介して発電機７の歯車７ａに伝達される。そして、この歯車７ａの回転によって発電機７は発電される。
また、同時に、大径歯車１２に圧接されている操作子２０は当該大径歯車１２に連動して回転する。しかし、途中で、操作子２０の第１の当接部２０ｂ−１は、ストッパ２５ａに当接し、操作子２０の回転が停止する。この状態では、操作子２０の第２の当接部２０ｂ−２は、第１のスイッチＳＷ１の一方の接点を押圧し、当該一方の接点が他方の接点に接触した状態となっている。
したがって、第１の回路Ｓ１が作動し、黄色発光ダイオード６ａが点灯する。
【００２９】
一方、走行玩具１を後進させると、後輪１３の回転動力は、小径歯車１４，大径歯車１２、軸９ｂの上記小径歯車、大径歯車１１、小径歯車１０ｂ及び大径歯車１０ａを介して発電機７の歯車７ａに伝達される。そして、この歯車７ａの回転によって発電機７は発電される。
また、同時に、大径歯車１２に圧接されている操作子２０は当該大径歯車１２に連動して回転する。しかし、途中で、操作子２０の第１の当接部２０ｂ−１は、ストッパ２５ｂに当接し、操作子２０の回転が停止する。この状態では、操作子２０の第２の当接部２０ｂ−２は、第２のスイッチＳＷ２の一方の接点を押圧し、当該一方の接点が他方の接点に接触した状態となっている。
したがって、第２の回路Ｓ２が作動し、赤色発光ダイオード６ｂが点灯する。
【００３０】
以上説明したスイッチ装置及び玩具によれば次のような効果を得ることができる。
すなわち、大径歯車１２が一方向に回転すると操作子２０が連動して回転し、第１のスイッチＳＷ１がＯＮとなる位置で操作子２０が停止する。したがって、第１のスイッチＳＷ１がＯＮの状態は、大径歯車１２が一方向に回転し続けていても、維持されることになる。
一方、大径歯車１２が他方向に回転すると操作子２０が連動して回転し、第２のスイッチＳＷ２がＯＮとなる位置で操作子２０が停止する。したがって、第２のスイッチＳＷ２がＯＮの状態は、大径歯車１２が他方向に回転し続けていても、維持されることになる。
また、第１の回路Ｓ１の作動と第２の回路Ｓ２の作動とは選択的に行われるので、操作子２０の回転方向に応じた異なる動作をさせることができる。
【００３１】
以上、本考案の実施形態について説明したが、本考案は、かかる実施形態に限定されるものではなく、その要旨を逸脱しない範囲で、種々の変形が可能であることは言うまでもない。
【００３２】
例えば、上記実施形態では、電源として発電機７を採用しているが、発電機に代えて電池を使用することもできる。
【００３３】
また、上記実施形態では、手押し式の玩具を説明したが、モータを使用して自走式のものとすることもできる。
【００３４】
また、上記実施形態では、走行玩具にスイッチ装置を適用した例を示したが、ロボットその他の玩具にスイッチ装置を適用してもよい。
【００３５】
また、上記実施形態では、操作子２０は回転方向に応じて、第１の回路Ｓ１及び第２の回路Ｓ２を選択的に作動させるようにしたが、操作子２０の拘束及び拘束解除手段を設けて、拘束によって、操作子２０を止めて、第１の回路Ｓ１及び第２の回路Ｓ２のいずれも作動しない位置を操作子２０に取らせるようにしてもよい。
【００３６】
また、上記実施形態では、操作子２０の当接によって作動するスイッチを用いたが、操作子２０にマグネットを組み込み、スイッチとしてマグネットの接近によってＯＮされるリーフスイッチを用いるようにしてもよい。
【符号の説明】
【００３７】
１    走行玩具
３    上部車体
４    下部車体
１２    大径歯車（回転体）
２０    操作子
２１    圧接手段
２５ａ，２５ｂ  ストッパ
Ｓ１    第１の回路
Ｓ２    第２の回路
ＳＷ１    第１のスイッチ
ＳＷ２    第２のスイッチ
【図１】
0003168130.tif 000003
【図２】
0003168130.tif 000004
【図３】
0003168130.tif 000005
【図４】
0003168130.tif 000006
【図５】
0003168130.tif 000007
【図６】
0003168130.tif 000008